(57)【要約】【課題】電池パック内部での水の影響を抑制することができ、単電池が腐食しにくい電池パック構造。【解決手段】複数の単電池１０が配列され、配列方向に平行な複数の単電池１０の側面が同一平面上に揃えられた電池モジュール３と、電池モジュール３が複数個並べて載置される下部板４と、下部板４から上方に突出して、平面に沿う電池モジュール３の側面に外方から接する押さえ板５と、押さえ板５に形成され、電池モジュール３の側面に接する領域を貫通する貫通孔６と、下部板４上であって、電池モジュール３が配置される領域より外側に設けられて下部板４を貫通する排水孔７と、を有する電池パック。【選択図】図２
2014165004.tif 000002
【特許請求の範囲】
【請求項１】
複数の単電池が配列され、前記配列方向に平行な前記複数の単電池の側面が同一平面上に揃えられた電池モジュールと、
前記電池モジュールが複数個並べて載置される下部板と、
前記下部板から上方に突出して、前記平面に沿う前記電池モジュールの側面に外方から接する押さえ板と、
前記押さえ板に形成され、前記電池モジュールの側面に接する領域を貫通する貫通孔と、
前記下部板上であって、前記電池モジュールが配置される領域より外側に設けられて前記下部板を貫通する排水孔と、を有することを特徴とする電池パック。
【請求項２】
前記電池モジュールは、前記複数の単電池が底板部材に沿って配列されていることを特徴とする請求項１に記載の電池パック。
【請求項３】
前記平面に含まれる位置で前記底板部材から突出する規制板と、
前記規制板に設けられた第二貫通孔と、を有し、
前記押さえ板は前記規制板に接し、
前記貫通孔は、前記規制板に接する領域に設けられていることを特徴とする請求項２に記載の電池パック。
【請求項４】
前記下部板から上方に連続的に突出し、前記下部板上に並べられた一の電池モジュールと隣接する他の電池モジュールとの間を仕切るガイド板を有し、
前記ガイド板は、前記電池モジュールから前記排水孔へ水を案内することを特徴とする請求項１から請求項３のいずれか一項に記載の電池パック。
【発明の詳細な説明】
【技術分野】
【０００１】
本発明は、複数の単電池からなる電池モジュールを複数収容する電池パックに関する。
【背景技術】
【０００２】
複数の電池セル（単電池）からなる電池モジュールを複数収容する電池パックは、例えば衝撃に対して強固であることと、水に対する密閉性が要求されている。特に、電池セルの使用環境が変わり易い移動体の電池パック構造においては、電池パック内の電池セルが周辺環境の影響を受けないようにするために、密閉性の高い堅牢なものが要求されている。
例えば、強固で密閉性が高い電池パックを実現するためのバッテリーケースが特許文献１に記載されている。
【先行技術文献】
【特許文献】
【０００３】
【特許文献１】特開２０１１−１２４１０１号公報
【発明の概要】
【発明が解決しようとする課題】
【０００４】
しかしながら、上記したようなバッテリーケースを用いて密閉性を高めた場合においても、高湿度の環境下や雨などの場合には、バッテリーケース内に水などの液体が入ってしまうことがあり、水の影響を十分に排除することは困難である。同様に、電池パックの内部の温度が高温状態から低温状態に繰り返されるなどの、温度サイクルが厳しいような場合においても電池パック内部に結露が生じ、水の影響を受けてしまう。
このように、電池パックの内部に水が蓄積してしまうと、例えば電池セルが外装構造の導電性材に接触し、電池セルを腐食させてしまう虞がある。
【０００５】
この発明は、このような事情を考慮してなされたもので、その目的は、電池パック内部での水の影響を抑制することができ、単電池が腐食しにくい電池パックを提供することにある。
【課題を解決するための手段】
【０００６】
上記の目的を達成するために、この発明は以下の手段を提供している。
本発明の電池パックは、複数の単電池が配列され、前記配列方向に平行な前記複数の単電池の側面が同一平面上に揃えられた電池モジュールと、前記電池モジュールが複数個並べて載置される下部板と、前記下部板から上方に突出して、前記平面に沿う前記電池モジュールの側面に外方から接する押さえ板と、前記押さえ板に形成され、前記電池モジュールの側面に接する領域を貫通する貫通孔と、前記下部板上であって、前記電池モジュールが配置される領域より外側に設けられて前記下部板を貫通する排水孔と、を有することを特徴とする。
【０００７】
上記構成によれば、下部板に排水孔が形成されていることによって、結露などに起因する水などの液体を、電池パックの外部に排出することができる。また、押さえ板に貫通孔が形成されていることによって、電池モジュールを位置決めしつつ、単電池間などより排出される液体を貫通孔から排出することができる。これにより、電池パック内部での水の影響を抑制することができ、単電池が腐食しにくい電池パック構造を形成することができる。
【０００８】
上記電池パックにおいて、前記電池モジュールは、前記複数の単電池が底板部材に沿って配列されていることが好ましい。
【０００９】
上記構成によれば、電池モジュール内の結露などに起因する水などの液体を、電池パックの外部に底板部材に沿ってスムーズに排出することができるために、さらに単電池が腐食しにくい電池パック構造を形成することができる。
【００１０】
上記電池パックにおいて、前記平面に含まれる位置で前記底板部材から突出する規制板と、前記規制板に設けられた第二貫通孔と、を有し、前記押さえ板は前記規制板に接し、前記貫通孔は、前記規制板に接する領域に設けられていることが好ましい。
【００１１】
上記構成によれば、規制板によって単電池の幅方向への変位が規制されるとともに、貫通孔及び第二貫通孔を介して電池モジュール内の水を電池モジュールの外部に排出することができる。
【００１２】
上記電池パックにおいて、前記下部板から上方に連続的に突出し、前記下部板上に並べられた一の電池モジュールと隣接する他の電池モジュールとの間を仕切るガイド板を有し、前記ガイド板は、前記電池モジュールから前記排水孔へ水を案内することが好ましい。
【００１３】
上記構成によれば、ガイド板が下部板上の水を排水孔に案内することで、下部板上の水が電池パックの内部に留まることを防止することができる。
【発明の効果】
【００１４】
本発明によれば、電池パック内部での水の影響を抑制することができ、単電池が腐食しにくい電池パック構造を形成することができる。
【図面の簡単な説明】
【００１５】
【図１】本発明の実施形態に係る電池パックの斜視図である。
【図２】カバーを外した状態の電池パックの斜視図である。
【図３】上方からみた下部板構造体の斜視図である。
【図４】下方からみた下部板構造体の斜視図である。
【図５】本発明の実施形態の押さえ板の斜視図である。
【図６】本発明の実施形態の押さえ板の作用を説明する斜視図である。
【図７】本発明の実施形態の排水孔の斜視図である。
【図８】本発明の実施形態における電池モジュールの斜視図である。
【図９】電池モジュールの支持プレートを示す斜視図である。
【図１０】支持プレートが支持する単電池の下部を拡大した斜視図である。
【図１１】単電池間に配置される絶縁部材と支持プレートとの当接状態を示す部分断面図である。
【図１２】上記図９のＡ−Ａ線に沿う断面図である。
【図１３】本発明の実施形態の電池パックの作用を説明する平面図である。
【発明を実施するための形態】
【００１６】
以下、本発明の実施形態について図面を参照して詳細に説明する。
図１及び図２に示すように、本実施形態の電池パック１は、基礎構造をなす下部板構造体２と、下部板構造体２に載置された複数（本実施形態では１２個）の電池モジュール３と、複数の電池モジュール３を覆うカバー５０とを主な構成要素として有している。
【００１７】
下部板構造体２は、一方向に長さを有し、複数の電池モジュール３を整列した状態で載置することが可能な土台である。図３及び図４に示すように、下部板構造体２は、複数の溝形鋼５４（チャンネル）を格子状に組み合わせたフレーム部５３と、フレーム部５３の側面に例えば溶接によって接合された側板５５と、フレーム部５３の上面に接合された板状の下部板４と、を有している。各々の溝形鋼５４の下面には複数のフレーム孔５６が形成されている。
【００１８】
下部板４は、例えばステンレス鋼板によって形成され、複数の電池モジュール３が載置される板状部材であり、本実施形態においては、１２個の電池モジュール３を整列した状態で載置可能な大きさとされている。図３に、電池モジュール３が配置される配置スペースＳを示す。以下の説明においては、説明の簡略化のため、１２個の電池モジュール３が配置されているとして説明する。
下部板４の各々の配置スペースＳに対応する箇所には、下部板４を軽量化するための矩形孔５８が形成されている。
【００１９】
電池モジュール３は、一方向に長さを有する箱形状をなし、下部板構造体２の長手方向と、電池モジュール３の長手方向を一致させた上で、下部板構造体２の長手方向に３個の電池モジュール３が、長手方向に直交する方向に４個の電池モジュール３が、行列状に規則的に配列されている。即ち、下部板構造体２には、３×４の配列で、１２個の電池モジュール３が配置可能であり、１２の配置スペースＳが形成されている。配置スペースＳの平面視の形状（上方からみた形状）は、電池モジュールの平面視の形状と対応している。
【００２０】
図８に示すように、電池モジュール３は、複数の単電池１０をその厚さ方向に一列に配列した組電池１１を備えている。電池モジュール３は、組電池１１を収容するケーシング１３を備えている。ケーシング１３は、組電池１１を下方から支持する支持プレート３０（底板部材）を備えている。支持プレート３０は、組電池１１が幅方向へ変位するのを規制しており、支持プレート３０により単電池１０の側面１０ａが同一平面上に揃えられている。
【００２１】
支持プレート３０は、結露などに起因する水が支持プレート３０によって幅方向外側に排出され、隣り合う単電池１０間に渡るようにして水が溜まることを防止できるような構造となっている。即ち、電池モジュール３からは結露などによる水が排出され、電池モジュール３が載置される下部板４に水が流れる構造となっている。電池モジュール３の詳細構造については後述する。
【００２２】
側板５５は、フレーム部５３の四辺に、その主面が下部板４に直交するように取り付けられた板状部材である。換言すれば、側板５５は、下部板４の四方を囲うように設けられている。側板５５には、カバー５０の固定に使用される、複数の側板孔５７が形成されている。
【００２３】
各々の配置スペースＳには、電池モジュール３を位置決めするための押さえ板５が設けられている。図５に示すように、押さえ板５は、下部板４の上面から上方に突出して設けられる板状の部材であり、下部板４に直交するとともに、下部板構造体２の長手方向に沿う当接部５９を有している。即ち、図６に示すように、電池モジュール３が押さえ板５の当接部５９に当接することによって、電池モジュール３の下部板構造体２の短手方向（幅方向）に沿う方向の位置決めが行われるようになっている。この当接部５９には、後述する電池モジュール３の支持プレート３０が当接する。
本実施形態の押さえ板５は、電池モジュール３の長手方向の略中央に当接するように配置されている。押さえ板５は、各々の配置スペースＳに対して一つに限ることはなく、複数設けられてもよい。
【００２４】
また、押さえ板５は、当接部５９の電池モジュール３が当接する面とは反対側に折れ曲がる補強部６０を有している。補強部６０は、電池モジュール３が当接部５９に当接する際、電池モジュール３と干渉しないように、電池モジュール３とは反対側に折れ曲がっている。
また、当接部５９には、複数の矩形形状の貫通孔６が設けられている。貫通孔６は、少なくとも一部が、当接部５９と下部板４との接続部に開口している。具体的には、矩形形状をなす貫通孔６のうち、下方に位置する辺は下部板４の上面である。即ち、貫通孔６は、当接部５９が電池モジュール３の移動を規制する一方、下部板４の上面を流れる水を反対側に流すことが可能なように形成されている。
【００２５】
また、下部板４には、下部板４上の水を下方に排出するための排水孔７が形成されている。排水孔７は、配置スペースＳとは異なる位置に形成されている。即ち、電池モジュール３が配置される領域の外側に形成されている。排水孔７は、下部板４の幅方向の両端であって、長手方向に隣接する電池モジュール３の中間の位置に設けられている。
【００２６】
図７に示すように、排水孔７は、下部板４に二箇所の切り込みを形成したうえで、上方に折り曲げて折曲部６１を形成することで形成されている。即ち、二箇所の切り込みの間が排水孔７となっている。
なお、排水孔７は、排水孔７の少なくとも一部が下部板４の側辺に開口していれば、下部板４に形成された、例えば矩形の孔でもよい。
【００２７】
また、下部板４には下部板４上の水分を排水孔７に案内するためのガイド板８が設けられている。ガイド板８は、長尺の板状部材であり、その主面が下部板４に直交するとともに、その長手方向が下部板構造体２の短手方向に沿うように配置されている。また、ガイド板８の下端は、下部板４の上面に接合されており、ガイド板８に対して、下部板構造体２の長手方向一方より流れてきた水分が他方に漏れないようになっている。
また、ガイド板８の長手方向の両端は、下部板４の幅方向両端に設けられた折曲部６１に接合されている。
【００２８】
次に、電池モジュール３について説明する。
図８は、この実施形態の電池モジュール３を示している。図８に示すように、電池モジュール３は、複数の単電池１０を、その厚さ方向に一列に配列した組電池１１を備えている。単電池１０は、上部に電極（図示せず）を備えた略直方体状に形成されている。各単電池１０の上記電極は、タイバー（図示せず）等によって直列又は並列接続されている。また、組電池１１は、隣り合う単電池１０間に、平板状の絶縁部材（絶縁板）１２を備えている。これら絶縁部材は、主に、各単電池１０のケースＣの対向する壁面同士を電気的に絶縁している。
【００２９】
電池モジュール３は、組電池１１を収容するケーシング１３を備えている。ケーシング１３は、配列方向の両端部に、組電池１１の端面を覆うサイドプレート１６を有している。これらサイドプレート１６は、その下縁に配列方向内側に屈曲されたフランジ部１７を有し、これらフランジ部１７が、組電池１１の底面３４側に回り込むように配置されている。また、サイドプレート１６には、上記サイドフレーム１４が固定されており、これらサイドプレート１６の配列方向内側には、インナープレート１９が配されている。これらインナープレート１９は、幅方向の外側縁がそれぞれ組電池１１の幅方向の側面側に回りこむように屈曲された屈曲部１８を備えている。なお、単電池１０の配列方向に交差する方向、且つ、後述する支持プレート３０の延在方向を、単に幅方向と称している。
【００３０】
ケーシング１３は、更に組電池１１の上部を覆う上部カバー２０を有している。この上部カバー２０は、単電池１０の各電極およびタイバーに水や塵埃等が付着するのを防止するためのものであり、この上部カバー２０に形成された上部傾斜面２１には、電気的な接続を行う配線を挿通するためのアクセスホール２２が形成されている。また、ケーシング１３は、組電池１１を下方から支持する支持プレート３０を備えている。この支持プレート３０は、配列方向の両側に支持板部３０ａを備え、この支持板部３０ａがサイドプレート１６のフランジ部１７によって支持されている。
【００３１】
図９に示すように支持プレート３０は、組電池１１の底面３４を下方から支持する主板部３１と、この主板部３１の上記配列方向と直交する幅方向の両側から上方に向かって立ち上がるように形成される側壁部３２（規制板）とを備えている。側壁部３２は、主に組電池１１が幅方向へ変位するのを規制している。これにより、単電池１０の側面１０ａ（図８参照）が同一平面上に揃えられる。
【００３２】
図９、図１０に示すように、主板部３１には、支持プレート３０上に存在する水などの液体をその自重により排出させる複数の排出部３３が設けられている。これら排出部３３は、配列方向に並んで形成されている。排出部３３は、単電池１０の底面３４に対して、配列方向の中央で線状に当接する第一支持部３５を備える支持部３６と、第一支持部３５から配列方向両側に向かって下るように形成された配列側傾斜面３７と、配列側傾斜面３７の下縁に接続されて幅方向外側に向かって下るように傾斜する幅側傾斜面３８とを備えている。
【００３３】
更に、配列方向で隣り合う第一支持部３５の間には、隣接する各単電池１０の対向面３９（図１２参照）の下方の位置に、幅方向に向かって延びる溝部４０が形成されている。これら溝部４０は、単電池１０の底面３４から離間する方向に窪むように形成され、その溝底面４１が、幅方向外側に向かって下るように傾斜して形成されている。
また、溝部４０の幅は、各々の単電池１０の外郭を形成するケースＣ間の隙間よりも十分に大きな略一定幅で形成されている。そして、上述した配列側傾斜面３７は、第一支持部３５から溝部４０に向けて単電池１０の底面３４から離間するように傾斜している。
なお、第一傾斜面とは、水を排出させる方向に向かって傾斜している面であり、幅側傾斜面３７及び溝底面４１である。以下、幅側傾斜面３７及び溝底面４１の双方が傾斜している場合を例にとって説明するが、これに限られず、例えば、幅側傾斜面３７が溝部４０に向かって傾斜している場合や、溝底面４１を傾斜させずに水平にしておいてもよい。また、配列側傾斜面３８は、第一支持部３５から配列方向両側に向かって下るように形成されている場合に限られず、例えば、配列側傾斜面３８を、幅側傾斜面３７とともに省略してもよい。
【００３４】
また、支持部３６は、単電池１０の底面３４に対して幅方向の中央で線状に当接する第二支持部４２を備えている。第二支持部４２は、溝部４０が形成される箇所を除いて配列方向に断続的に形成されており、幅側傾斜面３８は、この第二支持部４２から幅方向両側に向かって下るように傾斜している。溝底面４１は、幅方向の中央部が最も高くなり、幅方向両側に向かって下るように傾斜している。溝底面４１の幅方向の中央部は、幅側傾斜面３８の幅方向中央部によりも上下方向で下方に配置される。なお、幅側傾斜面３８および配列側傾斜面３７は平面に限られず、僅かに凹状や凸状の曲面であってもよい。
【００３５】
配列側傾斜面３７は、その配列方向の幅寸法が、幅方向中央に向かうほど細く形成されている。一方で、配列側傾斜面３７は、その配列方向の幅寸法が、幅方向外側に向かうほど細く形成されている。また、配列方向で隣接する２つの配列側傾斜面３７によって形成される稜線が上記第一支持部３５を構成し、幅方向で隣接する２つの幅側傾斜面３８によって形成される稜線が上記第二支持部４２を構成している。
【００３６】
側壁部３２は、上記配列側傾斜面３７および第一支持部３５の幅方向外側の縁部から上方に向かって立ち上がる複数の縦壁４３を有している。これら縦壁４３の幅方向の内側面４４（図１０参照）は、配列側傾斜面３７および第一支持部３５と、凹曲面４５を介して連なっている。さらに、側壁部３２には、隣り合う縦壁４３の上部同士を渡るようにして上部接続部４６が形成されており、この上部接続部４６の下辺と縦壁４３の対向する２つの辺部と主板部３１の側辺部により幅方向外側に向かって側壁部３２の内側と外側とを貫通する第二貫通孔４７が形成されている。なお、内側面４４と配列側傾斜面３７および第一支持部３５とを、凹曲面４５により接続する一例を説明したが、これに限られるものではない。
【００３７】
図１０に示すように、各々の単電池１０の間に配置される絶縁部材１２は、幅側傾斜面３８の配列方向略中央、より具体的には、溝部４０の配列方向略中央に配置されている。また、図１１に示すように、絶縁部材１２は、溝底面４１に密着するように、換言すれば、溝底面４１側の縁部全体が溝底面４１に当接するように、溝底面４１の傾斜に対応した形状を備えている。すなわち、絶縁部材１２の下縁は、幅方向中央部から、幅方向両側下方に向かって傾斜する傾斜底面４８を備えている。
【００３８】
そして、電池モジュール３は、支持プレート３０が下部板４にボルトなどの締結部材により締結されることで固定されている。
なお、電池モジュール３は、電池モジュール３内部の水を外部に排出できればよく、本実施のモジュール構造に限らない。
【００３９】
次に、この電池パック１の作用について説明する。なお、この作用の説明では、組電池１１を冷却風により冷却することなどで結露が生じて、この結露により生じた結露水（以下、水とする）が、支持プレート３０上に落ちて排出される場合を一例に説明する。
まず、単電池１０の表面に付着している水が、その自重により側面を伝って底面３４側に移動する。すると、主に単電池１０の下側の角部と、底面３４の支持部３６に当接する箇所との間から、支持プレート３０上に滴下または支持部３６を伝って流下する。
【００４０】
この際、配列側傾斜面３７の上に滴下又は第一支持部３５を介して流下した水は、図９中、矢印で示すように、その自重により配列側傾斜面３７に沿って配列方向下側に向かって流れ、幅側傾斜面３８上に移動する。
一方で、幅側傾斜面３８の上に滴下又は第二支持部４２を介して流下した水は、その自重により、幅側傾斜面３８に沿って幅方向の外側の下方に向かって流れ、幅側傾斜面３８が幅方向外側ほど細くなることなどにより、その殆どが溝部４０へと流入する。
【００４１】
溝部４０の内側に、直接滴下した水、絶縁部材１２を伝って流下した水、および、幅側傾斜面３８から流れ込んだ水は、その自重により溝部４０の溝底面４１の傾斜に沿って幅方向の外側かつ下側に向かって流れて、側壁部３２の第二貫通孔４７から、支持プレート３０の幅方向の外側へ排出されることとなる。溝部４０内の水は、絶縁部材１２によって配列方向への移動が規制されており、２つの隣り合う単電池１０から発生した水が互いに混ざらないようになっている。
【００４２】
次いで、第二貫通孔４７から排出された水は、図１３に示すように、側板５５（又はカバー５０）によって排水孔７に案内される。ここで、押さえ板５が当接している側壁部３２の第二貫通孔４７から排出された水は、押さえ板５の貫通孔６を介して排出される。
【００４３】
さらに、貫通孔６から排出された水を含む、下部板４上の水は、ガイド板８によっても排水孔７に案内される。即ち、下部板４上の水は、側板５５及びガイド板８によって排水孔７に案内される。排水孔７から排出された水は、一旦溝形鋼５４（図４参照）の中に流下し、フレーム孔５６より電池パック１の外部へ排出される。
【００４４】
上記実施形態によれば、下部板４に排水孔７が形成されていることによって、結露などに起因する水などの液体を、電池パック１の外部に排出することができる。また、押さえ板５に貫通孔６が形成されていることによって、電池モジュール３を位置決めしつつ、支持プレート３０より排出される水を貫通孔６から排出することができる。これにより、電池パック１内部での水の影響を抑制することができ、単電池１０が腐食しにくい電池パック１の構造を形成することができる。
【００４５】
また、側壁部３２によって単電池１０の幅方向への変位が規制されるとともに、貫通孔６及び第二貫通孔４７を介して電池モジュール３内の水を電池モジュール３の外部に排出することができる。
【００４６】
また、ガイド板８が下部板４上の水を排水孔７に案内することで、下部板４上の水が電池パック１の内部に留まることを防止することができる。
【００４７】
さらに、上記実施形態の電池モジュール３によれば、結露などに起因する水が支持プレート３０によって幅方向外側に排出され、隣り合う単電池１０間に渡るようにして水が溜まることを防止できるため、隣り合う単電池１０のケース間が電気的に接続されるのを抑制して、腐食等の不具合が発生するのを防止することが可能となる。
【００４８】
また、配列側傾斜面３７や幅側傾斜面３８の傾斜に沿って水を自重で移動させることができるため、簡単な構成で支持プレート３０上の水を排出することができる。
さらに、溝部４０が支持部３６の間に配置されることで、支持部３６によって各単電池１０の底面３４を支持することができるとともに、各単電池１０に付着している水が下方に流れた場合には、当該水を溝部４０に流れ込ませることができるため、微小な揺れ等が生じたとしても当該溝部４０に流れ込んだ水が再度単電池１０に付着することを防止できる。
【００４９】
また、溝部４０の溝底面４１が傾斜していることで、溝部４０に流れ込んだ水を円滑に支持プレート３０上から排出することができる。さらに、支持プレート３０に上下方向の貫通孔が形成されないので、下方からの水の浸入を防止することが可能となる。
また、幅側傾斜面３８および、溝底面４１が幅方向中央から外側に向かって傾斜しているため、これら幅側傾斜面３８、および、溝底面４１の上に滴下又は流れ込んだ水を最短距離で支持プレート３０の幅方向外側に排出することが可能となり、水を迅速に排出することができる。
【００５０】
なお、本発明の技術範囲は上記の実施形態に限定されるものではなく、本発明の趣旨を逸脱しない範囲において、種々の変更を加えることが可能である。
例えば、本実施形態においては、電池モジュール３の幅方向一側のみを押さえ板５で位置決めする構成としたが、電池モジュール３の幅方向両側を押さえ板５で位置決めする構成としてもよい。
また、ガイド板は必ずしも設ける必要はなく、ガイド板を省略することで、電池パックの製造コストを低減してもよい。
さらに、支持プレート（底板部材）は省略してもよい。
【符号の説明】
【００５１】
１  電池パック
２  下部板構造体
３  電池モジュール
４  下部板
５  押さえ板
６  貫通孔
７  排水孔
８  ガイド板
１０  単電池
１０ａ  側面
３０  支持プレート（底板部材）
３２  側壁部（規制板）
４７  第二貫通孔
【図１】
2014165004.tif 000003
【図２】
2014165004.tif 000004
【図３】
2014165004.tif 000005
【図４】
2014165004.tif 000006
【図５】
2014165004.tif 000007
【図６】
2014165004.tif 000008
【図７】
2014165004.tif 000009
【図８】
2014165004.tif 000010
【図９】
2014165004.tif 000011
【図１０】
2014165004.tif 000012
【図１１】
2014165004.tif 000013
【図１２】
2014165004.tif 000014
【図１３】
2014165004.tif 000015